【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
拡張現実システムにおけるユーザーの意図に基づいて最適画像を生成する方法であって、
透視ディスプレイ・デバイスの視野を判定し、前記透視ディスプレイ・デバイスの視野内において前記ユーザーの焦点領域を判定するステップと、
前記透視ディスプレイ・デバイスの視野内において複数の物体を判定するステップと、
最適画像を生成するステップと、
前記透視ディスプレイ・デバイスを介して、前記最適画像を前記ユーザーに表示するステップとを備え、
前記最適画像を生成するステップが、
前記ユーザーの焦点領域において、前記１つ以上の物体の外観を視覚的に強調するステップと、
前記ユーザーの焦点領域の外側であるが前記透視ディスプレイ・デバイスの視野内にある前記１つ以上の物体の外観を視覚的に目立たなくするステップと、
を含む、方法。
【請求項２】
請求項１に記載の方法において、更に、
前記ユーザーの焦点領域において１つ以上の物体と相互作用を望むユーザーの意図を判定するステップを備え、
前記ユーザーの焦点領域において、前記１つ以上の物体の外観を視覚的に強調するステップが、前記ユーザーの焦点領域において、前記ユーザーの意図に基づいて、前記ユーザーが相互作用を望む前記１つ以上の物体の外観を視覚的に強調する、
方法。
【請求項３】
請求項２に記載の方法において、前記ユーザーの焦点領域において１つ以上の物体と相互作用を望むユーザーの意図を判定するステップが、
前記ユーザーの焦点領域における前記ユーザーの目の移動パターンを検出するステップ
と、
前記ユーザーの焦点領域においてユーザーによって見られている１つ以上の物体上における前記ユーザーの凝視の強さを判定するステップと、
前記目の移動パターンおよび前記ユーザーの凝視の強さに基づいて、前記ユーザーの焦点領域において前記１つ以上の物体と相互作用を望むユーザーの意図を推論するステップと、
を含む、方法。
【請求項４】
請求項２〜３のいずれか一項に記載の方法において、前記ユーザーの焦点領域において１つ以上の物体と相互作用を望むユーザーの意図を判定するステップが、
前記ユーザーに関係があるユーザー特定情報にアクセスするステップと、
前記ユーザーの焦点領域における前記物体を、前記ユーザー特定情報と相関付けるステップと、
前記相関に基づいて、前記ユーザーの焦点領域において前記１つ以上の物体と相互作用を望むユーザーの意図を自動的に推論するステップと、
を含む、方法。
【請求項５】
請求項２〜４のいずれか一項に記載の方法において、前記ユーザーの焦点領域において１つ以上の物体と相互作用を望むユーザーの意図を判定するステップが、
前記ユーザーの焦点領域において前記物体のいずれかと相互作用を望む意図を指定するように、前記ユーザーに促すステップと、
ユーザーの身体的行為の少なくとも１つによって、ユーザーの意図を受けるステップと、
前記ユーザーの身体的行為に基づいて、前記１つ以上の物体と相互作用を望むユーザーの意図を判定するステップと、
を含む、方法。
【請求項６】
請求項２〜５のいずれか一項に記載の方法において、前記ユーザーの焦点領域において１つ以上の物体と相互作用を望むユーザーの意図を判定するステップが、
前記透視ディスプレイ・デバイスの視野内の物体から送られてくる、対象の物体を識別可能な信号を検出するステップ、又は、
前記透視ディスプレイ・デバイスの視野内の物体への距離を測定するステップ、
の少なくともいずれか一方を含む、方法。
【請求項７】
請求項１〜６のいずれか一項に記載の方法において、前記透視ディスプレイ・デバイスの視野内において複数の物体を判定するステップが、前記透視ディスプレイ・デバイスの視野内の三次元モデルを作成するステップを含み、更に、
前記三次元モデルを、前記透視ディスプレイ・デバイスの視野内を構成する前記物体毎に区分し、前記透視ディスプレイ・デバイスの視野内において前記複数の物体を特定するステップを備えている、方法。
【請求項８】
請求項７に記載の方法において、前記透視ディスプレイ・デバイスの視野を判定し、前記透視ディスプレイ・デバイスの視野内において前記ユーザーの焦点領域を判定するステップが、
前記三次元モデル内において、前記ユーザーの頭部の位置および向きを判定するステップを含む、方法。
【請求項９】
請求項１〜８のいずれか一項に記載の方法において、前記ユーザーの焦点領域の外側であるが前記透視ディスプレイ・デバイスの視野内にある前記１つ以上の物体の外観を目立たなくするステップが、
前記ユーザーの焦点領域の外側であるが前記透視ディスプレイ・デバイスの視野内の、前記透視ディスプレイ・デバイスの不透明性を大きくするステップを含む、方法。
【請求項１０】
請求項１〜９のいずれか一項に記載の方法において、前記ユーザーの焦点領域がパナムの融合エリアである、方法。
【請求項１１】
請求項１〜１０のいずれか一項に記載の方法において、前記最適画像を生成するステップが、更に、
前記ユーザーの焦点領域における前記１つ以上の物体に関係する拡張コンテンツまたはオーディオ・コンテンツの内少なくとも１つを読み出すステップと、
前記ユーザーの焦点領域において、前記１つ以上の物体に被せてまたはその隣りに、前記拡張コンテンツまたはオーディオ情報を投射するステップと、
を含む、方法。
【請求項１２】
請求項１〜１１のいずれか一項に記載の方法において、前記ユーザーの焦点領域において、前記１つ以上の物体の外観を視覚的に強調するステップが、前記１つ以上の物体の縁端を際立たせること、あるいは前記１つ以上の物体が配置されている領域において仮想的なボックス、円、または視覚的インディケーターを表示することの内少なくとも１つによって、前記１つ以上の物体の外観を視覚的に強調する、方法。
【請求項１３】
請求項１〜１２のいずれか一項に記載の方法を実行するためのプログラム。
【請求項１４】
請求項１〜１２のいずれか一項に記載の方法を実行するためのプログラムを記録した記録媒体。
【請求項１５】
拡張現実システムであって、
透視ディスプレイ・デバイスと、
前記透視ディスプレイに取り付けられ、前記ユーザーに最適画像を表示するマイクロ・ディスプレイ・デバイスと、
前記マイクロ・ディスプレイ・デバイスに通信状態で結合されているプロセッサーと、
前記プロセッサーによってアクセス可能であり、ソフトウェアおよびデーターを格納するメモリーと、
を備えており、
前記ソフトウェアの制御の下で、前記プロセッサーが、
透視ディスプレイ・デバイスの視野を判定し、前記透視ディスプレイ・デバイスの視野内において前記ユーザーの焦点領域を判定するステップと、
前記透視ディスプレイ・デバイスの視野内において複数の物体を判定するステップと、
前記最適画像を生成するステップと、
前記透視ディスプレイ・デバイスを介して、前記最適画像を前記ユーザーに表示するステップとを実行し、
前記最適画像を生成するステップが、
前記ユーザーの焦点領域において、前記１つ以上の物体の外観を視覚的に強調するステップと、
前記ユーザーの焦点領域の外側であるが前記透視ディスプレイ・デバイスの視野内にある前記１つ以上の物体の外観を視覚的に目立たなくするステップと、
を含む、拡張現実システム。
【請求項１６】
請求項１５に記載の拡張現実システムにおいて、前記ソフトウェアの制御の下で、前記プロセッサーが、更に、
前記ユーザーの焦点領域において１つ以上の物体と相互作用を望むユーザーの意図を判定するステップを実行し、
前記ユーザーの焦点領域において、前記１つ以上の物体の外観を視覚的に強調するステップが、前記ユーザーの焦点領域において、前記ユーザーの意図に基づいて、前記ユーザーが相互作用を望む前記１つ以上の物体の外観を視覚的に強調する、
拡張現実システム。
【請求項１７】
請求項１６に記載の拡張現実システムにおいて、
前記ユーザーの焦点領域において１つ以上の物体と相互作用を望むユーザーの意図を判定するステップが、
前記ユーザーの焦点領域における前記ユーザーの目の移動パターンを検出するステップと、
前記ユーザーの焦点領域においてユーザーによって見られている１つ以上の物体上における前記ユーザーの凝視の強さを判定するステップと、
前記目の移動パターンおよび前記ユーザーの凝視の強さに基づいて、前記ユーザーの焦点領域において前記１つ以上の物体と相互作用を望むユーザーの意図を推論するステップと、
を含む、拡張現実システム。
【請求項１８】
請求項１６〜１７のいずれか一項に記載の拡張現実システムにおいて、前記ユーザーの焦点領域において１つ以上の物体と相互作用を望むユーザーの意図を判定するステップが、
前記ユーザーに関係があるユーザー特定情報にアクセスするステップと、
前記ユーザーの焦点領域における前記物体を、前記ユーザー特定情報と相関付けるステップと、
前記相関に基づいて、前記ユーザーの焦点領域において前記１つ以上の物体と相互作用を望むユーザーの意図を自動的に推論するステップと、
を含む、拡張現実システム。
【請求項１９】
請求項１６〜１８のいずれか一項に記載の拡張現実システムにおいて、前記ユーザーの焦点領域において１つ以上の物体と相互作用を望むユーザーの意図を判定するステップが、
前記ユーザーの焦点領域において前記物体のいずれかと相互作用を望む意図を指定するように、前記ユーザーに促すステップと、
ユーザーの身体的行為の少なくとも１つによって、ユーザーの意図を受けるステップと、
前記ユーザーの身体的行為に基づいて、前記１つ以上の物体と相互作用を望むユーザーの意図を判定するステップと、
を含む、拡張現実システム。
【請求項２０】
請求項１６〜１９のいずれか一項に記載の拡張現実システムにおいて、前記ユーザーの焦点領域において１つ以上の物体と相互作用を望むユーザーの意図を判定するステップが、
前記透視ディスプレイ・デバイスの視野内の物体から送られてくる、対象の物体を識別可能な信号を検出するステップ、又は、
前記透視ディスプレイ・デバイスの視野内の物体への距離を測定するステップ、
の少なくともいずれか一方を含む、拡張現実システム。
【請求項２１】
請求項１５〜２０のいずれか一項に記載の拡張現実システムにおいて、前記透視ディスプレイ・デバイスの視野内において複数の物体を判定するステップが、前記透視ディスプレイ・デバイスの視野内の三次元モデルを作成するステップを含み、
前記ソフトウェアの制御の下で、前記プロセッサーが、更に、
前記三次元モデルを、前記透視ディスプレイ・デバイスの視野内を構成する前記物体の１つ以上に区分し、前記透視ディスプレイ・デバイスの視野内において前記複数の物体を特定するステップを実行する、拡張現実システム。
【請求項２２】
請求項２１に記載の拡張現実システムにおいて、前記透視ディスプレイ・デバイスの視野を判定し、前記透視ディスプレイ・デバイスの視野内において前記ユーザーの焦点領域を判定するステップが、
前記三次元モデル内において、前記ユーザーの頭部の位置および向きを判定するステップを含む、拡張現実システム。
【請求項２３】
請求項１５〜２２のいずれか一項に記載の拡張現実システムにおいて、前記ユーザーの焦点領域の外側であるが前記透視ディスプレイ・デバイスの視野内にある前記１つ以上の物体の外観を目立たなくするステップが、
前記ユーザーの焦点領域の外側であるが前記透視ディスプレイ・デバイスの視野内の、前記透視ディスプレイ・デバイスの不透明性を大きくするステップを含む、拡張現実システム。
【請求項２４】
請求項１５〜２３のいずれか一項に記載の拡張現実システムにおいて、前記ユーザーの焦点領域がパナムの融合エリアである、拡張現実システム。
【請求項２５】
請求項１５〜２４のいずれか一項に記載の拡張現実システムにおいて、前記最適画像を生成するステップが、更に、
前記ユーザーの焦点領域における前記１つ以上の物体に関係する拡張コンテンツまたはオーディオ・コンテンツの内少なくとも１つを読み出すステップと、
前記ユーザーの焦点領域において、前記１つ以上の物体に被せてまたはその隣りに、前記拡張コンテンツまたはオーディオ情報を投射するステップと、
を含む、拡張現実システム。
【請求項２６】
請求項１５〜２５のいずれか一項に記載の拡張現実システムにおいて、前記ユーザーの焦点領域において、前記１つ以上の物体の外観を視覚的に強調するステップが、前記１つ以上の物体の縁端を際立たせること、あるいは前記１つ以上の物体が配置されている領域において仮想的なボックス、円、または視覚的インディケーターを表示することの内少なくとも１つによって、前記１つ以上の物体の外観を視覚的に強調する、拡張現実システム。